【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項２】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項３】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項４】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項５】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項６】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項７】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項８】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項９】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１０】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１１】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１２】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１３】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１４】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１５】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１６】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１７】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１８】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項１９】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、
前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【請求項２０】
自分で移動する移動機構を備えたペット型又は漫画等キャラクタ型ロボットであって、
一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、
自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、
前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、
他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、
前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、
を備えたことを特徴とする、ペット型又は漫画等キャラクタ型ロボット。
【手続補正２】
【補正対象書類名】明細書
【補正対象項目名】発明の名称
【補正方法】変更
【補正の内容】
【発明の名称】ペット型又は漫画等キャラクタ型ロボット
【手続補正３】
【補正対象書類名】明細書
【補正対象項目名】０００６
【補正方法】変更
【補正の内容】
【０００６】
本発明はこのような課題に着目してなされたものであって、たまたま近くに居合わせたユーザーたちに（特に、たまたま近くに居合わせた互いに知らないユーザーたちに）、互いのコミュニケーションを開始したり互いの交流を活発化するための「切っ掛け」を与えたり、前記コミュニケーションや交流の「仲立ち」となったりすることができる、「移動機構を備えた、ペット型又は漫画等キャラクタ型ロボット」を提供する、ことを目的とする。
【手続補正４】
【補正対象書類名】明細書
【補正対象項目名】０００８
【補正方法】変更
【補正の内容】
【０００８】
本願の特許請求の範囲に記載した発明は次のとおりである。
１．自分で移動する移動機構を備えたペット型又は漫画等キャラクタ型ロボットであって、一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる他の電子生物を含む）が相手方となっているメッセージ（ここでの『メッセージ』は『鳴き声によるメッセージ』を含む。以下同じ。）」を、予め記録しておくメッセージ記録手段と、前記記録されたメッセージ中の１つ又は複数の「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットの内部に生存する他の電子生物とは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、を備えたことを特徴とする、ペット型又は漫画等キャラクタ型ロボット。
２．自分で移動する移動機構を備えたペット型又は漫画等キャラクタ型ロボットであって、一つ又は複数の「自ら（ペット型又は漫画等キャラクタ型ロボット）の内部に生存する電子生物（前記ペット型又は漫画等キャラクタ型ロボットの分身となる電子生物を含む）が主体となっており他のペット型又は漫画等キャラクタ型ロボットの内部に生存する他の電子生物（前記他のペット型又は漫画等キャラクタ型ロボットの分身となる電子生物を含む）が相手方となっているメッセージ（ここでの『メッセージ』は『鳴き声によるメッセージ』を含む。以下同じ。）」を、予め記録しておくメッセージ記録手段と、自らが他のペット型又は漫画等キャラクタ型ロボットの内部に生存する他の電子生物に向けて伝達する又は伝達しようとする「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を、前記メッセージ記録手段に記録されている複数のメッセージの中から、ユーザーによる操作もしくは設定による情報その他の情報に基づいて又は自動的に、選択するメッセージ選択手段と、前記選択された「自ら（ペット型又は漫画等キャラクタ型ロボット）の内部に生存する電子生物が主体となっており他のペット型又は漫画等キャラクタ型ロボットの内部に生存する他の電子生物が相手方となっているメッセージ」を乗せた若しくは一体化した、電波もしくは赤外線」を、近距離無線がカバーする範囲内の近傍に存在する他のペット型又は漫画等キャラクタ型ロボットに、インターネットなどの公衆ネットワークを介すること無く直接に、届くように、ユーザーによる事前の操作もしくは設定に基づいて、「送信時におけるユーザーによる特別な操作」を介すること無く自動的に、近距離無線により発信する電波等発信手段と、他のペット型又は漫画等キャラクタ型ロボットから発信された「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を乗せた若しくは一体化した、電波もしくは赤外線」を、近距離無線により、インターネットなどの公衆ネットワークを介すること無く直接に、受信する電波等受信手段と、  前記電波等受信手段が受信した電波等に基づいて取得した、前記「前記他のペット型又は漫画等キャラクタ型ロボットの内部に生存する他の電子生物が主体となっており、前記他のペット型又は漫画等キャラクタ型ロボットとは別のペット型又は漫画等キャラクタ型ロボット（自らを含む）の内部に生存する電子生物が相手方となっているメッセージ」を、出力する出力手段と、を備えたことを特徴とするペット型又は漫画等キャラクタ型ロボット。
【手続補正５】
【補正対象書類名】明細書
【補正対象項目名】００１０
【補正方法】変更
【補正の内容】
【００１０】
第１  本発明による効果
本発明においては、互いに近傍に存在する少なくとも２つの「ペット型又は漫画等キャラクタ型ロボット」が、それぞれ、「ペット型又は漫画等キャラクタ型ロボット」が伝達の主体となっているメッセージとを乗せた若しくは一体化した電波もくしは赤外線を、近距離無線でカバーする範囲内の近傍に存在する他の「ペット型又は漫画等キャラクタ型ロボット」に、インターネットなどの公衆ネットワークを介すること無く直接に、届くように近距離無線により発信すると共に、各「他の「ペット型又は漫画等キャラクタ型ロボット」から発信された前記電波等をインターネットなどの公衆ネットワークを介すること無く直接に近距離無線により受信するという構成（技術的思想）を採用しているので、「ユーザーから見ると、互いに近傍に居る「ペット型又は漫画等キャラクタ型ロボット」同士が自然にコミュニケーション（情報の伝達）を開始し又は行っているかのような状態」が自動的に（ユーザーから見ると自然な形で）作出されるようになるため、このような「状態」が自動的に作出されることを通じて、たまたま近くに居合わせたユーザーたちに（特に、たまたま近くに居合わせた互いに知らないユーザーたちに）、互いのコミュニケーションを開始したり互いの交流を活発化するための「切っ掛け」を与えたり、前記コミュニケーションや交流を促進したりすることができる、ようになる。
以上のことを敷衍すると次のとおりである。本発明によれば、「移動機構を備えた、ペット型又は漫画等キャラクタ型ロボット」のユーザー同士（特にそれまでは互いに知らないユーザー同士）が、「移動機構を備えた、ペット型又は漫画等キャラクタ型ロボット」を「仲立ち・きっかけ」として、会話をしたり知り合いになることができるようになる。つまり、我々の日常生活では、「犬などの現実のペット」を「きっかけ」「仲立ち」として初対面の者同士が会話をしたり知り合いになることが多い。前記ではペットについて述べたが、ペットを介して知り合いになるのと同様に、子供同士を通じて知り合いになることも多い（幼児を公園に連れていって遊ばせている母親が、その公園にいた同じ年頃の幼児をもつ母親と知り合いになることは多い）。このように、本発明によれば、前記のペットや子供による「仲立ち」「きっかけ」の機能を、「移動機構を備えた、ペット型又は漫画等キャラクタ型ロボット」が担うことができる。よって、本発明によれば、「移動機構を備えた、ペット型又は漫画等キャラクタ型ロボット」に、新しい機能・役割（ユーザー同士のコミュニケーションの「仲立ち」をするという機能・役割）を付与し、「移動機構を備えた、ペット型又は漫画等キャラクタ型ロボット」を「コミュニケーションのためのツール」として活用することができる。よって、本発明によれば、「移動機構を備えた、ペット型又は漫画等キャラクタ型ロボット」の付加価値をより高め、「移動機構を備えた、ペット型又は漫画等キャラクタ型ロボット」を「現実のペットなどの生物」（現実のペットなどの生物は、そのペットなどの所有者同士が、ペットなどを「きっかけ」に知り合いになったり会話をしたりして、ペットなどがユーザー同士の生身のコミュニケーションに寄与することが多い）により近づけること、ができる。
第２  本発明の実施形態による効果
また、本発明の実施形態による「移動機構を備えた、ペット型又は漫画等キャラクタ型ロボット」においては、近傍のエリアにある他の「移動機構を備えた、ペット型又は漫画等キャラクタ型ロボット」に受信されるように、「近所で行われるイベントに関するお知らせ情報、新しく発売される商品・サービスの広告情報、地方自治体からの市政に関するお知らせなどの広報情報、政治的・社会的・宗教的意見の広告情報などのような、所定の広告・広報情報」を無線で送信するための広告情報送信手段と、近傍のエリアにある他の「移動機構を備えた、ペット型又は漫画等キャラクタ型ロボット」から無線で送信された前記広告情報を受信するための広告情報受信手段と付加するようにしてもよく、このようにしたときは、形態物を媒介として、口コミのように、近くに居る人たち、近くを通る人たちの間で、次々と広告・広報情報を伝えて行く「口コミ伝言板」「口コミ伝言ネットワーク」を形成できるようになる。